(57)【要約】      （修正有）【課題】地味（質素）な印象を払拭するとともに、二次元コードを印刷しても趣を損なうことがなく、かつ、別途通信料を必要とすることなく付加情報を閲覧可能としたおみくじを提供する。【解決手段】細長な帯状用紙２からなるおみくじ１であって、帯状用紙の一方の面には神社の名称、おみくじの名称、おみくじの番号、吉凶、文字情報をコード化した二次元コード５がそれぞれ所定の位置に印刷されるとともに、他方の面には運勢、アドバイスがそれぞれ所定の位置に印刷され、帯状用紙を、その長さ方向の所定位置において、他方の面が内側になるように折り線Ｌ１，Ｌ２の位置で折り畳み、一方の面の二次元コードが印刷された部分３ａを覆い隠すようにして、神社の名称及びおみくじの名称が印刷された部分３ｃを重ね合せ、それぞれの部分を剥離可能に接着してなる。【選択図】図４
0003188640.tif 000002
【実用新案登録請求の範囲】
【請求項１】
細長な帯状用紙からなるおみくじであって、前記帯状用紙の一方の面には神社・仏閣の名称、おみくじの名称、おみくじの番号、吉凶、文字情報をコード化した二次元コード等がそれぞれ所定の位置に印刷されるとともに、他方の面には運勢、アドバイス等がそれぞれ所定の位置に印刷され、前記帯状用紙を、その長さ方向の所定位置において、他方の面が内側になるようにして折り畳み、一方の面の二次元コードが印刷された部分を覆い隠すようにして、神社・仏閣の名称及びおみくじの名称が印刷された部分を重ね合せ、それぞれの部分を剥離可能に接着してなることを特徴とするおみくじ。
【請求項２】
前記帯状用紙は、予め決められた複数の日本の伝統色の中の１色で着色されていることを特徴とする請求項１に記載のおみくじ。
【請求項３】
前記帯状用紙の一方の面には、選択された日本の伝統色に関連する絵柄が印刷されていることを特徴とする請求項１または２に記載のおみくじ。
【請求項４】
前記帯状用紙の他方の面には、選択された日本の伝統色の説明文、伝統色及び吉凶に基く運勢・アドバイスが印刷されていることを特徴とする請求項１ないし３のいずれかに記載のおみくじ。
【請求項５】
前記帯状用紙の一方の面に印刷された二次元コードは、他方の面に印刷された運勢及びアドバイスに関する追加の文字情報をコード化したものであり、前記二次元コードを、コード読取り機能を備えた携帯電話やスマートフォン等の携帯端末で読み取ることにより、前記携帯端末の画面上に付加情報をテキスト形式で表示するようにしたことを特徴とする請求項１ないし４のいずれかに記載のおみくじ。
【請求項６】
前記二次元コード化された付加情報には、おみくじを提供する神社・仏閣のウェブサイトへのリンクが含まれることを特徴とする請求項１ないし５のいずれかに記載のおみくじ。
【考案の詳細な説明】
【技術分野】
【０００１】
本考案は、神社・仏閣等において提供（販売）されるおみくじに関する。
【背景技術】
【０００２】
おみくじは、神社・仏閣等で運勢を占うために引くくじであり、広く一般に親しまれている。一般的なおみくじは、大吉、中吉、小吉、凶等の吉凶とともに、健康、恋愛、縁談、出産、商売、金運、転居、旅行等についての運勢が印刷された紙片からなる。おみくじを引く方法としては、番号の付けられたおみくじ棒等を引いて、そこに記載された番号のおみくじを受け取るか、あるいは予め折り畳まれた紙片や丸められて棒状とされたおみくじを、箱や引出から取り出す等の方法がある。そして、前述の方法で引いたおみくじに印刷されている吉凶や運勢を確認するものであり、確認後のおみくじは、境内の木の枝や柵等に結び付けられることが多い。
【０００３】
また、最近ではインターネットの発達や携帯端末の高機能化等に伴い、おみくじに文字情報等を含む二次元コードを印刷し、前記二次元コードを、携帯端末のコード読取り機能を利用して読み取ることにより、おみくじに印刷されている内容だけでなく、更に詳細な情報（運勢等）をインターネット上のウェブサイトで閲覧可能とした技術が開示されている（特許文献１参照）。
【０００４】
【先行技術文献】
【特許文献】
【０００５】
【特許文献１】特開２００６−１５４９８９号公報
【考案の概要】
【考案が解決しようとする課題】
【０００６】
然るに、従来の一般的なおみくじは、薄葉の紙片に吉凶や運勢等が印刷されているだけということが多いため、昔ながらの趣はあるものの地味（質素）な印象が拭えないという問題がある。
一方、特許文献１記載の技術においては、二次元コードがおみくじの表面に常時目視できる状態で印刷されているため、おみくじの趣を損なうという問題がある。しかも、詳細な運勢等を知るためには、前記二次元コードを、携帯端末のコード読取り機能を利用して読み取り、インターネット上のウェブサイトにアクセスする必要があるので、おみくじ代とは別に通信料が掛かるという問題もある。
更に、特許文献１には、おみくじに運勢等の文字情報をコード化した二次元コードを印刷し、前記二次元コードを、携帯端末のコード読取り機能を利用して読み取ることにより、インターネットに接続することなく前記運勢等の文字情報を携帯端末の画面上に表示して閲覧することも記載されているが（特許文献１の段落番号００２３参照）、この場合、前記のように別途通信料を必要とすることはないものの、おみくじは単なる二次元コードが印刷された紙片（カード）という形態であり、おみくじとしての趣を全く感じさせないものとなってしまうという問題がある。
【０００７】
本考案は前記種々の問題点に鑑み、地味（質素）な印象を払拭するとともに、二次元コードを印刷しても趣を損なうことがなく、かつ、別途通信料を必要とすることなく付加情報を閲覧可能としたおみくじの提供を目的とする。
【課題を解決するための手段】
【０００８】
前記の課題を解決するために、本考案は、細長な帯状用紙からなるおみくじであって、前記帯状用紙の一方の面には神社・仏閣の名称、おみくじの名称、おみくじの番号、吉凶、文字情報をコード化した二次元コード等がそれぞれ所定の位置に印刷されるとともに、他方の面には運勢、アドバイス等がそれぞれ所定の位置に印刷され、前記帯状用紙を、その長さ方向の所定位置において、他方の面が内側になるようにして折り畳み、一方の面の二次元コードが印刷された部分を覆い隠すようにして、神社・仏閣の名称及びおみくじの名称が印刷された部分を重ね合せ、それぞれの部分を剥離可能に接着しておみくじを構成した。
また、前記帯状用紙を予め決められた複数の日本の伝統色の中の１色で着色したり、前記帯状用紙の一方の面に、選択された日本の伝統色に関連する絵柄（模様）を印刷したり、前記帯状用紙の他方の面に、選択された日本の伝統色の説明文、伝統色及び吉凶に基く運勢・アドバイスを印刷したりするとよい。
更に、前記帯状用紙の一方の面に印刷された二次元コードは、他方の面に印刷された運勢及びアドバイスに関する追加の文字情報（付加情報）をコード化したものであって、前記二次元コードを、コード読取り機能を備えた携帯電話やスマートフォン等の携帯端末を利用して読み取ることにより、前記携帯端末の画面上に付加情報をテキスト形式で表示するようにしたり、前記二次元コード化された付加情報に、おみくじを提供（販売）する神社・仏閣のウェブサイトへのリンクを含むようにしたりするとよい。
【考案の効果】
【０００９】
本考案に係るおみくじによれば、細長な帯状用紙を、その長さ方向の所定位置において折り畳み、前記帯状用紙の一方の面における二次元コードが印刷された部分の上に、同じく帯状用紙の一方の面における神社・仏閣の名称等が印刷された部分を重ね合せているので、おみくじが開封されていない状態においては、前記二次元コードは常時目視できる状態にはないため、前記二次元コードをおみくじに印刷しても、おみくじの趣を損なうことがない。
【００１０】
また、おみくじの色を日本の伝統色としたり、おみくじの一方の面に日本の伝統色に関連する絵柄（模様）を印刷したり、おみくじの他方の面に伝統色の説明文、伝統色及び吉凶に基く運勢・アドバイスを印刷したりすることで、落ち着いた中にも華やいだ印象のおみくじとすることができるとともに、特に女性層が興味を持つようなおみくじを提供することが可能となる。
【００１１】
更に、おみくじに印刷した二次元コードを、コード読取り機能を備えた携帯電話やスマートフォン等の携帯端末を利用して読み取ると、付加情報がテキスト形式（文字）で携帯端末の画面上に表示されるので、インターネット上のウェブサイトにアクセスする必要がなく、従って、通信料を別途必要とすることもない。その上、二次元コード化した付加情報に、おみくじを提供する神社・仏閣のウェブサイトへのリンクを含めておけば、興味を持った人のみが神社・仏閣のウェブサイトへ直接アクセスして、詳しい情報を閲覧することも可能となる。
【図面の簡単な説明】
【００１２】
【図１】本考案に係るおみくじを示す正面図である。
【図２】（ａ）は本考案に係るおみくじを開いた状態を示す正面図、（ｂ）は本考案に係るおみくじを開いた状態を示す背面図である。
【図３】本考案に係るおみくじの一部を開いた状態を示す斜視図である。
【図４】本考案に係るおみくじにおける帯状用紙の折り畳み動作を説明するための説明図である。
【図５】本考案に係るおみくじに印刷した二次元コードを携帯電話やスマートフォン等の携帯端末を利用して読み取ることにより画面に付加情報を表示した状態を示す正面図である。
【考案を実施するための形態】
【００１３】
以下、本考案を実施するための形態について、図１ないし図５を参照しながら具体的に説明する。図１は本考案に係るおみくじを示す正面図である。図２（ａ）は本考案に係るおみくじを開いた状態を示す正面図、同図（ｂ）は本考案に係るおみくじを開いた状態を示す背面図である。図３は本考案に係るおみくじの一部を開いた状態を示す斜視図である。図４は本考案に係るおみくじにおける帯状用紙の折り畳み動作を説明するための説明図である。図５は本考案に係るおみくじに印刷した二次元コードを携帯電話やスマートフォン等の携帯端末を利用して読み取ることにより画面に付加情報を表示した状態を示す正面図である。
【００１４】
図１，２に本考案に係るおみくじを示す。本考案に係るおみくじ１は、図２に示す如く細長な帯状用紙２からなり、例えば、その長手方向の２ヶ所（折り線Ｌ１，Ｌ２の位置）において折り畳むことにより、図１に示すように、正面視形状がほぼ正方形状となるように構成されている。
【００１５】
前記帯状用紙２は、予め決められた複数の日本の伝統色の中の１色で着色されている。前記複数の日本の伝統色は、例えば、桜色、撫子色、茜色、薄香色、菜の花色、萌黄色、翡翠色、月白色、瑠璃色、菖蒲色の１０色とする。そして、おみくじの購入者は、これら１０色のおみくじの中から好みの１色を選択して購入するものである。
【００１６】
図２（ａ）に示すように、帯状用紙２の一方の面（以下、表面という）には、前記１０色の日本の伝統色の中から選ばれる１色に関連する絵柄（模様）４が印刷されている。前記絵柄４は、例えば、桜色であれば桜の花、撫子色であれば撫子の花、茜色であればトンボ、薄香色であれば銀杏の葉、菜の花色であれば菜の花、萌黄色であればクローバー、翡翠色であればカワセミ、月白色であれば月と星、瑠璃色であれば蝶、菖蒲色であれば菖蒲の花とする。なお、図１，２に示すおみくじ１は、日本の伝統色として撫子色を選択した場合を例として、撫子の花が印刷されている。
【００１７】
また、前記帯状用紙２の表面には、所定位置に神社・仏閣の名称、おみくじの名称、おみくじの番号、吉凶、付加情報の名称、付加情報をコード化した二次元コード５がそれぞれ印刷されている。即ち、図２（ａ）に示すように、折り線Ｌ１，Ｌ２で３分割される一番上の部分（以下、二次元コード等印刷部という）３ａにおみくじの番号、付加情報の名称、二次元コード５及び吉凶が、一番下の部分（以下、表題印刷部という）３ｃに神社・仏閣の名称及びおみくじの名称がそれぞれ印刷されている。
【００１８】
図２（ｂ）に示すように、帯状用紙２の他方の面（以下、裏面という）には、所定位置に前記１０色の日本の伝統色の中から選ばれる１色に対応する説明文、選ばれた伝統色及び吉凶に基く運勢、並びにアドバイスがそれぞれ印刷されている。即ち、図２（ｂ）に示すように、折り線Ｌ１，Ｌ２で３分割される一番上の部分（以下、説明文印刷部という）６ｃに伝統色の説明文が、真ん中の部分（以下、運勢印刷部という）６ｂに運勢が、一番下の部分（以下、アドバイス印刷部という）６ａにアドバイスがそれぞれ印刷されている。なお、実際の印刷に当たっては、図２（ｂ）で示す状態から１８０°回転させた（上下逆転させた）状態で印刷される。即ち、図２（ａ）に示す表題印刷部３ｃの裏面に当たる説明文印刷部６ｃに伝統色の説明文が、二次元コード等印刷部３ａの裏面に当たるアドバイス印刷部６ａにアドバイスが、真ん中の運勢印刷部６ｂに運勢がそれぞれ印刷されることになる。
【００１９】
図２（ａ）に示す帯状用紙２表面の二次元コード等印刷部３ａに印刷された二次元コード５は、例えば、帯状用紙２裏面の運勢印刷部６ｂ及びアドバイス印刷部６ａに印刷された運勢及びアドバイスに関する追加の文字情報（付加情報）をコード化したものであり、コード読取り機能を備えた携帯電話やスマートフォン等の携帯端末７を利用して読み取ることにより、前記付加情報がテキスト形式で携帯端末７の画面７ａに表示される（図５参照）。また、前記付加情報には、おみくじ１を提供（販売）する神社・仏閣のウェブサイトへのリンクを含めるようにしてもよい。
【００２０】
以上のように構成されたおみくじ１にあっては、図４に示すように、帯状用紙２の長手方向における２ヶ所に設けた折り線Ｌ１，Ｌ２の位置で、裏面が内側となるように折り畳み、運勢印刷部６ｂの上に二次元コード等印刷部３ａを重ね合せ、前記二次元コード等印刷部３ａの裏面に当たるアドバイス印刷部６ａと前記運勢印刷部６ｂとを剥離可能に接着（糊付け）するとともに（図３参照）、前記二次元コード等印刷部３ａの上に表題印刷部３ｃを重ね合せ、前記表題印刷部３ｃの裏面に当たる説明文印刷部６ｃと前記二次元コード等印刷部３ａとを剥離可能に接着（糊付け）することにより、図１に示すような正面視形状が正方形状のおみくじ１を得る。
【００２１】
おみくじ１を開封する場合は、まず、図１に示すおみくじ１の最上面に位置する表題印刷部３ｃを、二次元コード等印刷部３ａから剥離する。この結果、図３に示すように、表題印刷部３ｃによって内側に隠されていた二次元コード等印刷部３ａと、前記表題印刷部３ｃの裏面に当たる説明文印刷部６ｃが現れる。つづいて、前記二次元コード等印刷部３ａを、運勢印刷部６ｂから剥離する。この結果、図２（ｂ）に示すように、二次元コード等印刷部３ａによって内側に隠されていた運勢印刷部６ｂと、前記二次元コード等印刷部３ａの裏面に当たるアドバイス印刷部６ａが現れる。
【００２２】
このように、おみくじ１を開封することにより、帯状用紙２を折り畳むことによって内側に隠れていた伝統色の説明文、運勢及びアドバイスを読むことが可能となり、また、伝統色の説明文、運勢及びアドバイスを読んだ後、コード読取り機能を備えた携帯端末７を利用して二次元コード５を読み取ることにより、図５で示すように、運勢やアドバイスに関する付加情報（図５では一例として、相性の良い星座、血液型、年齢差、干支の情報）をテキスト形式で携帯端末７の画面７ａに表示して読むことが可能となる。更に、携帯端末７の画面７ａに表示される付加情報内におみくじ１を提供する神社・仏閣のウェブサイトへのリンクが含まれている場合には、当該リンクをクリックして神社・仏閣のウェブサイトへアクセスすることにより、神社・仏閣の詳細な情報を閲覧することも可能となる（この場合には別途通信料が必要となる）。
【００２３】
以上説明したように、本考案のおみくじ１は、開封前の状態では二次元コード等印刷部３ａが表題印刷部３ｃによって覆い隠されており、前記二次元コード等印刷部３ａに印刷された二次元コード５は、前記表題印刷部３ｃを剥離しておみくじ１を開封しない限り人目に付くことがないので、おみくじ１に二次元コード５を印刷するようにしても、おみくじ１の趣を損なうことがない。
【００２４】
また、おみくじ１を構成する帯状用紙２は、予め決められた複数の日本の伝統色の中の１色で着色され、表面には着色された日本の伝統色に関連する絵柄（模様）が印刷されるとともに、裏面には着色された日本の伝統色の説明文、伝統色及び吉凶に基く運勢やアドバイスが印刷されているので、華美にならない色合いを選択することにより、落ち着いた中にも華やかな印象を持たせたおみくじ１を得ることが可能となる。従って、本考案のおみくじ１は人目に付き易いものとなって購買意欲を湧かせるだけでなく、日本の伝統色の採用や、伝統色に基く運勢やアドバイスを印刷することで、特に女性層に興味を持たれるおみくじの提供が可能となる。
【００２５】
更に、帯状用紙２表面に印刷された二次元コード５は、裏面に印刷された運勢やアドバイスに関する追加の文字情報（付加情報）をコード化したものであり、前記二次元コード５を、コード読取り機能を備えた携帯端末７を利用して読み取ることにより、前記付加情報をテキスト形式で携帯端末７の画面７ａに表示して閲覧することができるので、前記付加情報を閲覧するために別途通信料を必要とすることがない。即ち、おみくじ１の購入者にとっては、おみくじ１に印刷されている内容に加えて、所謂おまけの情報である付加情報を、通信料を必要とすることなく得られるとともに、二次元コード５を読み取るという行為を楽しんだり、二次元コード５を読み取ることによりどんな情報が表示されるのかというワクワク感を味わったりすることもできるため、おみくじ１を購入する楽しみが増すという利点がある。
【００２６】
しかも、携帯機器７の画面７ａに表示される付加情報内に、おみくじ１を提供する神社・仏閣のウェブサイトへのリンクを含めておけば、当該神社・仏閣のことを詳しく知ってもらうきっかけともなり、興味を持った人がリンクをクリックして神社・仏閣のウェブサイトへアクセスすることで、神社・仏閣の詳細な情報を閲覧することが可能となる。この場合、神社・仏閣のウェブサイトを閲覧するか否かは、おみくじの購入者が任意に選択することができ、二次元コード５を読み取ることにより強制的に神社・仏閣のウェブサイトへアクセスすることはない。また、付加情報内に当該おみくじ１を提供する神社・仏閣のウェブサイトへのリンクを含めることで、他の神社・仏閣とは差別化したオリジナルのおみくじ１とすることも可能となる。
【００２７】
なお、本考案においては、おみくじに使用する日本の伝統色を、桜色、撫子色、茜色、薄香色、菜の花色、萌黄色、翡翠色、月白色、瑠璃色、菖蒲色の１０色としているが、これに限定されるものではなく、おみくじの趣を損ねない、即ち、過度に華美とならない範囲で色の変更が可能である。
また、帯状用紙の表面に印刷される伝統色に関連する絵柄（模様）についても、前述した絵柄（模様）に限定されることなく、適宜変更可能であるとともに、伝統色の変更に応じて変更することも可能である。
更に、二次元コードを読み取ることにより表示される付加情報は、前述した相性の良い星座、血液型、年齢差、干支の情報だけに止まらず、更に他の情報を追加してもよいし、前述した情報以外の情報であってもよい。
【符号の説明】
【００２８】
１  おみくじ
２  帯状用紙
３  一方の面（表面）
３ａ  二次元コード等印刷部
３ｃ  表題印刷部
４  絵柄（模様）
５  二次元コード
６  他方の面（裏面）
６ａ  アドバイス印刷部
６ｂ  運勢印刷部
６ｃ  説明文印刷部
７  携帯端末
７ａ  画面
【図１】
0003188640.tif 000003
【図２】
0003188640.tif 000004
【図３】
0003188640.tif 000005
【図４】
0003188640.tif 000006
【図５】
0003188640.tif 000007